(57)【要約】【課題】  隣接する発光素子の間に発生する輝度バラツキや色調バラツキを低減することができ、安定した光学的特性が得られる発光装置を作製できる発光素子収納用パッケージおよび発光装置ならびに照明装置を提供すること。【解決手段】  上面に直線状に配列された複数の発光素子４の搭載部２ａを有する基体２と、基体２の上面に取着された、複数の搭載部２ａのそれぞれを内面が取り囲むように形成された貫通孔３ａが複数設けられている反射部材３とから成る発光素子収納用パッケージにおいて、反射部材３は、その上面に、貫通孔３ａの内面の上端から隣接する貫通孔３ａの内面の上端にかけて切り欠き部３ｂが形成されている。【選択図】  図１
2006210627.tif 000002
【特許請求の範囲】
【請求項１】
上面に発光素子の搭載部を有する基体と、該基体の上面に取着された、前記搭載部を内周面が取り囲むように形成された貫通孔が設けられている反射部材とを具備しているとともに、前記反射部材の上面に、前記貫通孔の上端から前記反射部材の外側面にかけて切り欠き部が形成されている発光素子収納用容器を、前記切り欠き部同士が連続するように平面方向に複数配列されて互いに接合したことを特徴とする発光素子収納用パッケージ。
【請求項２】
前記貫通孔は平面視形状が長方形状または楕円形状であり、前記切り欠き部を前記長方形状の短辺側または前記楕円形状の長軸上に形成したことを特徴とする請求項１記載の発光素子収納用パッケージ。
【請求項３】
請求項１または請求項２記載の発光素子収納用パッケージと、前記搭載部にそれぞれ搭載された複数の前記発光素子と、複数の前記貫通孔の内側に前記発光素子を被覆するように充填されるとともに前記切り欠き部を介して連続している透明部材とを具備していることを特徴とする発光装置。
【請求項４】
請求項３記載の発光装置を光源とするように設置したことを特徴とする照明装置。
【発明の詳細な説明】
【技術分野】
【０００１】
本発明は、発光素子を収容するための発光素子収納用パッケージおよび発光装置ならびに照明装置に関する。
【背景技術】
【０００２】
従来、発光ダイオード（ＬＥＤ）や半導体レーザ（ＬＤ）等の発光素子を用いた発光装置は、今後さらなる低消費電力化や長寿命化がすすむものと予測されていることから注目されており、近年、各種インジケーター、光センサー、ディスプレイ、ホトカプラ、バックライト、光プリンタヘッド等の種々の分野で使用され始めている。また、発光装置の光量を増加させるため複数の発光素子を実装し、光出力の増加を狙った発光装置も使用され始めている。従来の発光素子を複数個搭載するための発光装置の断面図を図７に示す。
【０００３】
図８に示すように、従来の発光装置11は、一般に各種樹脂やセラミックスなどの材料から成る基体12を有する。基体12には、タングステン（Ｗ）やモリブデン（Ｍｏ）−マンガン（Ｍｎ）等を含む導体ペーストを焼成して成るメタライズ層等の配線導体（図示せず）が形成される。そして、この配線導体を介して発光装置11内の発光素子14に外部から電力が供給され、発光素子14を作動させる。
【０００４】
基体12は、発光装置11の内側の一方の主面に、各種樹脂やセラミックス、または、可視光領域において反射率の高いアルミニウム（Ａｌ）や銀（Ａｇ）等から成り、中央部の上下面に貫通孔を有する正方形状の反射部材13が設けられている。
【０００５】
発光素子14は、基体12にＡｇペースト等でダイボンドされており、搭載部12ａの周辺に配置した配線導体と発光素子14の電極とをＡｕやＡｌ等のボンディングワイヤ（図示せず）を介して電気的に接続されている。
【０００６】
そして、反射部材13の内側にエポキシ樹脂やシリコーン樹脂等の透明部材15が発光素子14を覆うように充填され熱硬化されることにより、発光素子14が保護されるとともに基体12に強固に密着される。または、発光素子14の周囲または表面に蛍光体（図示せず）を混入した透明部材15が塗布され、熱硬化されることにより、発光素子14からの光が蛍光体により波長変換され所望の波長スペクトルを有する光を取り出すことが可能となる。そして、反射部材13の上面に透光性の蓋体（図示せず）を半田や樹脂接合材等で接合して発光装置11となる。
【０００７】
これらの発光装置11は、外部電気回路（図示せず）から供給される駆動電流によって発光素子14を発光させることで可視光を発光する。近年、この発光装置11を大型ディスプレイ用光源として利用するようになってきており、高輝度の点でより高特性のものが要求されている。また、ディスプレイ用光源として使用する場合には均一な色調制御と均一な明るさが求められている。
【０００８】
そこで、近時、発光装置の発光輝度を向上させるために、発光装置内に複数個の発光素子を搭載する発光装置が用いられている。例として、その発光装置の断面図を図８に示す。
【０００９】
図９に示す発光装置21は、一つの基体22上に複数の発光素子24を搭載し、個々の発光素子24を取り囲むように貫通孔が複数形成された反射部材23が取着されている。そして、これらの貫通孔内に透明部材25を充填し、さらに、発光効率の向上や色むらを抑制するために、透明部材25の上側に蛍光体を含有した蛍光体層26が配置され、発光装置21の高光出力化に対応するものである。
【特許文献１】特許第３０６５２６３号公報
【発明の開示】
【発明が解決しようとする課題】
【００１０】
しかしながら、図９に示す従来の発光装置21では、発光素子24同士の間に位置する反射部材23により、光がさえぎられるために光強度が不均一となり、その結果、発光装置の輝度ばらつきや色調のばらつきが生じるといった問題点があった。即ち、発光素子24からの光を反射部材23によって上面に反射する一方で、発光素子24同士の間に位置する反射部材23の上側に光が届かない部分26ａができることにより発生するものである。
【００１１】
また、従来の発光装置21では、発光素子24から出る光が透明部材25を介して蛍光体層26に入射され、波長変換し所望の波長スペクトルを有する光を取り出せる発光装置21と成すことができるが、反射部材23の貫通孔上の光に限定される。即ち、反射部材23上の蛍光体層26の平面視した面積の合計により高輝度化は左右されることとなり、更なる高輝度化に対応する場合、パッケージサイズを大型化する必要があり、発光装置21の小型化には寄与できないといった問題点があった。
【００１２】
したがって、本発明はかかる従来の問題点に鑑みて完成されたものであり、その目的は、隣接する発光素子の間に発生する輝度バラツキや色調バラツキを低減することができ、安定した光学的特性が得られる発光装置を作製できる発光素子収納用パッケージおよび発光装置ならびに照明装置を提供することにある。
【課題を解決するための手段】
【００１３】
本発明の発光素子収納用パッケージは、上面に発光素子の搭載部を有する基体と、該基体の上面に取着された、前記搭載部を内周面が取り囲むように形成された貫通孔が設けられている反射部材とを具備しているとともに、前記反射部材の上面に、前記貫通孔の上端から前記反射部材の外側面にかけて切り欠き部が形成されている発光素子収納用容器を、前記切り欠き部同士が連続するように平面方向に複数配列されて互いに接合したことを特徴とする。
【００１４】
本発明の発光素子収納用パッケージにおいて、好ましくは、前記貫通孔は平面視形状が長方形状または楕円形状であり、前記切り欠き部を前記長方形状の短辺側または前記楕円形状の長軸上に形成したことを特徴とする。
【００１５】
本発明の発光装置は、上記本発明の発光素子収納用パッケージと、前記搭載部にそれぞれ搭載された複数の前記発光素子と、複数の前記貫通孔の内側に前記発光素子を被覆するように充填されるとともに前記切り欠き部を介して連続している透明部材とを具備していることを特徴とする。
【００１６】
本発明の照明装置は、上記本発明の発光装置を光源とするように設置したことを特徴とする。
【発明の効果】
【００１７】
本発明の発光素子収納用パッケージは、上面に発光素子の搭載部を有する基体と、基体の上面に取着された、搭載部を内周面が取り囲むように形成された貫通孔が設けられている反射部材とを具備しているとともに、反射部材の上面に、貫通孔の上端から反射部材の外側面にかけて切り欠き部が形成されている発光素子収納用容器を、切り欠き部同士が連続するように平面方向に複数配列されて互いに接合したことから、発光素子から出る光を、切り欠き部を通って貫通孔同士の間に位置する反射部材上に良好に進行させることができ、隣接する発光素子の間に発生する輝度バラツキや色調バラツキを低減することができ、安定した光学的特性が得られる発光装置を作製できる。
【００１８】
また、複数の発光素子収納用容器を互いに接合していることから、発光素子で生じた熱が基体に伝わって発光素子収納用容器が熱膨張したとしても、発光素子収納用容器同士を接合している接合材が個々の発光素子収納用容器の熱膨張を吸収することができ、全体としての発光素子収納用パッケージに応力が生じて歪みが生じるのを有効に抑制できる。よって、発光特性が変化するのを有効に防止し、長期にわたり発光特性の安定したものとなる。
【００１９】
本発明の発光素子収納用パッケージは、貫通孔は平面視形状が長方形状または楕円形状であり、切り欠き部を長方形状の短辺側または前記楕円形状の長軸上に形成したことから、直線状の光源として用いる場合に、発光強度の弱くなる部分が生じるのを有効に抑制することができ、きわめて均一な光強度の線状光源とすることができる。
【００２０】
本発明の発光装置は、上記本発明の発光素子収納用パッケージと、搭載部にそれぞれ搭載された複数の発光素子と、複数の前記貫通孔の内側に前記発光素子を被覆するように充填されるとともに前記切り欠き部を介して連続している透明部材とを具備していることから、発光素子の間に発生する輝度バラツキや色調バラツキを低減することができ、安定した光学的特性が得られるものとなる。
【００２１】
また、発光素子の光を波長変換可能な蛍光体層を透光性部材を覆うように設けて、所望の色の光を放出させるようにした場合に、発光素子から出た光を、切り欠き部を通って貫通孔同士の間に位置する反射部材の上方の波長変換層にまんべんなく入射させることができので、輝度バラツキや色調バラツキを低減することができるとともに波長変換に用いる蛍光体層の利用可能範囲が広げて発光効率を高めることができる。その結果、発光効率に優れ、安定した光学特性および色調特性を得ることができる高性能なものとなる。
【００２２】
また、発光素子から出て横に進む光は、発光素子を取り囲む適度な高さの反射部材によって良好に上方に反射されるので、波長変換層に対して極度に斜め方向に入射するのを有効に抑制できる。よって発光素子から出た光は、波長変換層に同じような入射角で入ることとなり、波長変換層を通過する行路長が同じような値となるので光の強度分布のむらが抑制される。
【００２３】
本発明の照明装置は、上記本発明の発光装置を光源とするように設置したことから、上記本発明の発光装置の特徴を有する、輝度バラツキや色調バラツキが非常に小さい、安定した光学的特性が得られる照明装置となる。
【発明を実施するための最良の形態】
【００２４】
本発明の発光素子収納用パッケージおよび発光装置ならびに照明装置について以下に詳細に説明する。図１は本発明の発光素子収納用パッケージおよび発光装置について実施の形態の一例を示す斜視図であり、図２は図１の発光素子収納用パッケージおよび発光装置のＡ−Ａ’線での断面図、図３はＢ−Ｂ’線での断面図である。これらの図において、１’は発光素子収納用容器、２は基体、３は反射部材であり、主にこれらで発光素子を収容するための発光素子収納用パッケージが構成される。また、４は発光素子、５は透明部材、６は蛍光体を含有した透光性部材から成る蛍光体層であり、主にこれらと発光素子収納用パッケージとで発光装置１が構成されている。
【００２５】
本発明の発光素子収納用パッケージは、上面に発光素子４の搭載部２ａを有する基体２と、基体２の上面に取着された、搭載部２ａのそれぞれを内面が取り囲むように形成された貫通孔３ａが複数設けられている反射部材３を具備した発光素子収納用容器１’を互いの側面同士で複数接合して成る。
【００２６】
本発明の基体２は、発光素子４を支持し搭載するための支持部材および発光素子４の熱を放熱させるための放熱部材として機能する。基体２の上面の搭載部２ａには、発光素子４が樹脂接着剤やＳｎ−鉛（Ｐｂ）半田、Ｓｎ−Ａｕ等の低融点ロウ材を介して取着される。そして、発光素子４の熱が樹脂接着剤や低融点ロウ材を介して基体２に伝達され外部に効率よく放散されることにより、発光素子４の作動性が良好に維持される。また、発光素子４から出射される光は、反射部材３の貫通孔３ａの内面で反射されて、外部に放射される。
【００２７】
また、基体２は、酸化アルミニウム質焼結体（アルミナセラミックス）、窒化アルミニウム質焼結体、ガラスセラミックス等のセラミックスや樹脂、ガラス等から成り、その搭載部２ａや搭載部２ａの近傍から側面や下面などの外面にかけて導出する配線導体（図示せず）が形成されている。また、基体２は金属でもよく、その場合、配線導体が基体２と絶縁性を維持できるようにガラス等の絶縁体を介して基体２に配設される。
【００２８】
また、基体２に形成された配線導体は、例えば、Ｗ，Ｍｏ，Ｍｎ，Ｃｕ等のメタライズ層で形成されており、例えばＷ等の粉末に有機溶剤、溶媒を添加混合して得た金属ペーストを、所定パターンに印刷塗布し焼成することによって基体２に形成される。この配線導体の表面には、酸化防止のためとボンディングワイヤ（図示せず）を強固に接続するために、厚さ0.5〜９μｍのＮｉ層や厚さ0.5〜５μｍのＡｕ層等の金属層をメッキ法により被着させておくと良い。
【００２９】
本発明の反射部材３は、Ａｌ，ステンレス（ＳＵＳ）,Ａｇ，鉄（Ｆｅ）−Ｎｉ−コバルト（Ｃｏ）合金，Ｆｅ−Ｎｉ合金等の金属や樹脂、セラミックス、ガラス等からなる。なお、反射部材３は、可視光領域等の光反射効果を高めるとともに酸化による腐食を防止するため、光反射率が高いとともに耐環境性に優れるＡｌやＳＵＳから成ることが好ましい。
【００３０】
また、反射部材３は、光反射特性を良好とするため、表面に光反射特性に優れる金属などを被着させてもよい。
【００３１】
また、反射部材３は、搭載部２ａの内面が取り囲むように形成された貫通孔３ａが設けられている。このような反射部材３は、例えば、切削加工、圧延加工や打ち抜き加工等の従来周知の金属加工を施すことによって、所定形状に形成される。なお、貫通孔３ａの内面は、縦断面形状が直線状の平坦面であってもよく、下側に凹んだ曲面状や上側に凸の曲面状であってもよい。
【００３２】
また、反射部材３の上面には、貫通孔の上端から反射部材３の外側面にかけて切り欠き部３ｂが形成されている。そして、このような反射部材３を具備する発光素子収納用容器１’を、切り欠き部３ｂ同士が連続するように平面方向に複数配列されて互いに接合することにより、本発明の発光素子収納用パッケージとなる。これにより、発光素子収納用パッケージに収容された発光素子４の光を切り欠き部３ｂ以外の貫通孔３ａの内面で良好に反射させることができるとともに、隣接する発光素子４同士の間に発生する輝度バラツキや色調バラツキを低減することができる。従って、本発明の発光素子収納用パッケージを使用した発光装置１の発光効率や、輝度、光度をきわめて高いものとすることができ、かつ輝度バラツキや色調バラツキを低減することができる。
【００３３】
反射部材３に形成された貫通孔３ａは、好ましくは、内面が上方に向かって広がる傾斜面とされているのがよい。これにより、発光素子４から出た光を良好に上方向に反射させることができる。
【００３４】
また、反射部材３の貫通孔３ａの内面は、基体２の上面となす角度が35度未満になると放射角度が45度以上に広がり、分散した光の量が多くなり、光の輝度や光度が低下しやすくなる。一方、角度が60度を超えると、発光装置１の外部に発光素子４の光が良好に放射されずに発光装置１内で乱反射しやすくなる。従って、反射部材３の内面が基体２の上面となす角度は35〜60度が好ましい。
【００３５】
また、貫通孔３ａの断面形状が円錐台形状である場合、貫通孔３ａの内面と基体２の上面とのなす角度を上記のように35〜60度とするのがよく、四角錐台形状である場合、少なくとも一対の対向する斜面がこの角度で規定されるのがよい。つまり、一方の対向する一対の斜面が、この範囲でなくても、他方の対向する一対の斜面がこの角度の範囲内であれば、発光効率をきわめて高いものとすることができる。
【００３６】
また、貫通孔３ａは、その内面の算術平均粗さＲａが、0.004〜４μｍ以下であることが好ましい。即ち、内面の算術平均粗さＲａが、４μｍを超える場合、収容された発光素子４の光を正反射させて発光素子収納用パッケージの上方に出射させることが困難になり、光強度が減衰したり偏りが発生しやすくなる。また、貫通孔３ａの内面の算術平均粗さＲａが0.004μｍ未満の場合、このような面を安定かつ効率よく形成することが困難となるとともに、製品コストが高くなりやすい。従って、内面の算術平均粗さＲａは0.004〜４μｍが好ましい。なお、貫通孔３ａの内面のＲａを上記の範囲とするには、従来周知の電解研磨加工，化学研磨加工もしくは切削加工により形成することができる。また、金型の面精度を利用した転写加工により形成する方法を用いてもよい。
【００３７】
また、反射部材３の上面に形成された切り欠き部３ｂの深さＤ（図２参照）と長さＬ（切り欠き部３ｂの一方の貫通孔３ａ側の端から隣接する他方の貫通孔３ａ側の端までの距離：図３参照）の関係は、長さＬが深さＤの２倍以下が好ましい。即ち、長さＬが深さＤの２倍を超えると、切り欠き部３ｂの中央部の上側の蛍光体層６へ入射する発光素子４の光の割合が低くなり、切り欠き部３ｂが形成されていない形状と変わらない特性に近づき効果が小さくなる。
【００３８】
切り欠き部３ｂの寸法を上記の範囲とするには、従来周知の電解研磨加工，化学研磨加工もしくは切削加工により形成することができる。また、金型を利用した転写加工により形成する方法を用いてもよい。なお、切り欠き部３ｂの幅は、とくに指定はないが、光を高効率に反射させるという観点からは、貫通孔３ｂの上側開口の大きさと同等以下であるのがよい。これにより、反射部材３の反射特性を損なわず、蛍光体層６への入射する光の割合も低くならない。
【００３９】
反射部材３は、シリコーン系やエポキシ系等の樹脂接着剤により基体２の上面に接合されるか、または、Ａｇ−Ｃｕロウ等の金属ロウ材やＰｂ−Ｓｎ，Ａｕ−Ｓｎ，Ａｕ−ケイ素（Ｓｉ）,Ｓｎ−Ａｇ−Ｃｕ等の半田により接合される。なお、この接合材は、基体２、反射部材３の材質や熱膨張係数等を考慮して適宜選定すればよく、特に限定されるものではない。また、基体２と反射部材３との接合の高信頼性が必要とされる場合、好ましくは金属ロウ材や半田により接合されるのがよい。
【００４０】
本発明の発光素子収納用パッケージは、複数の発光素子収納用容器１’を切り欠き部３ｂ同士が連続するように平面方向に配列させるとともに互い外側面同士を接合材Ｓにより接合させて成る。接合材Ｓはろう材や樹脂接着剤等が使用される。好ましくは光反射率の高いものがよく、これにより切り欠き部３ｂ内に進入した光が接合材Ｓに吸収されるのを有効に防止し、発光強度を高めることができる。このような光反射率の高い接合材Ｓとしては、例えば、ろう材や、白色のセラミック粒子を含有させた樹脂接着剤等が挙げられる。
【００４１】
透明部材５は、シリコーン樹脂やエポキシ樹脂等の光透過性の透明樹脂やガラス等の無機材料から成り、未硬化の液状のものが反射部材３の貫通孔３ａの内側および切り欠き部３ｂの内部にディスペンサー等により注入されたあと、200℃近辺の温度により加熱され硬化されることにより形成される。なお、この透明部材５は、基体２、反射部材３の材質や熱膨張係数等を考慮して適宜選定すればよく、特に限定されるものではない。また、高信頼性を必要とされる場合、ガラスやゾルゲルガラス系の無機材料を含有した透明部材を使用することが好ましい。
【００４２】
蛍光体層６は、発光素子３からの光により励起されて、所望の波長の蛍光を発することができるものであり、例えば、アルカリ土類アルミン酸塩蛍光体や、希土類元素から選択された少なくとも一種の元素で付活されたイットリウム・アルミニウム・ガーネット系蛍光体等の蛍光体や顔料等が、シリコーン樹脂やエポキシ樹脂等の有機材料やガラス等の無機材料から成る透光性部材に含有されて成る。
【００４３】
このような蛍光体層６は例えば次のようにして作製される。先ず、平滑な基板上に蛍光体や顔料等を含有した透光性部材を厚膜状に形成し、加熱して硬化させた後、基板上から剥がしてフィルム状の蛍光体層６とする。次に、反射部材３の貫通孔３ａ内や切り欠き部３ｂ内に形成された透明部材５の上面に、この透明部材５と同じ材料のものを接着剤として介在させて取り付けることによって蛍光体層６が構成される。
【００４４】
発光素子４は、放射するエネルギーのピーク波長が紫外線域から赤外線域までのいずれのものでもよいが、白色光や種々の色の光を視感性よく放出させるという観点から300乃至500ｎｍの近紫外系から青色系で発光する素子であるのがよい。例えば、サファイア基板上にバッファ層，ｎ型層，発光層およびｐ型層を順次積層した、ＧａＮ，ＧａＡｌＮ，ＩｎＧａＮまたはＩｎＧａＡｌＮ等の窒化ガリウム系化合物半導体、あるいはシリコンカーバイド系化合物半導体やＺｎＳｅ（セレン化亜鉛）等で発光層が形成されたものが挙げられる。
【００４５】
また、発光素子４は、Ａｕ線やＡｌ線等によるワイヤを介して接続するワイヤボンディング方式により、基体２に形成された配線導体に電気的に接続される。あるいは発光素子４の下面に形成した電極を、Ａｕ−Ｓｎ半田，Ｓｎ−Ａｇ半田，Ｓｎ−Ａｇ−Ｃｕ半田またｈＳｎ−Ｐｂ半田等の半田バンプ、ＡｕまたはＡｇ等の金属バンプ等の接続手段を介して接続するフリップチップボンディング方式等の方法にり、基体２に形成された配線導体に電気的に接続される。好ましくは、フリップチップボンディング方式により接続されるのがよい。これにより、配線導体を基体２の上面の発光素子４の直下に設けることができるため、基体２の上面の発光素子４の周辺部に配線導体の領域を設ける必要がなくなる。よって、発光素子４から発光された光がこの基体２の配線導体の領域で吸収されて放射される光出力が低下するのを有効に抑制することができる。
【００４６】
また、本発明の発光装置１は、１個のものを所定の配置となるように設置したことにより、または複数個を、例えば、格子状や千鳥状，放射状，複数の発光装置１から成る、円状や多角形状の発光装置１群を同心状に複数群形成したもの等の所定の配置となるように設置したことにより、照明装置とすることができる。これにより、半導体から成る発光素子４の電子の再結合による発光を利用しているため、従来の放電を用いた照明装置よりも低消費電力かつ長寿命とすることが可能であり、発熱の小さな小型の照明装置とすることができる。その結果、発光素子４から発生する光の中心波長の変動を抑制することができ、長期間にわたり安定した放射光強度かつ放射光角度（配光分布）で光を照射することができるとともに、照射面における色むらや照度分布の偏りが抑制された照明装置とすることができる。
【００４７】
また、本発明の発光装置１を光源として所定の配置に設置するとともに、これらの発光装置１の周囲に任意の形状に光学設計した反射治具や光学レンズ、光拡散板等を設置することにより、任意の配光分布の光を放射できる照明装置とすることができる。
【００４８】
例えば、図４，図５に示す平面図，断面図のように複数個の発光装置１が発光装置駆動回路基板８に複数列に配置され、発光装置１の周囲に任意の形状に光学設計した反射治具７が設置されて成る照明装置の場合、隣接する一列上に配置された複数個の発光装置１において、隣り合う発光装置１との間隔が最短に成らないような配置、いわゆる千鳥状とすることが好ましい。即ち、発光装置１が格子状に配置される際には、光源となる発光装置１が直線上に配列されることによりグレアが強くなり、このような照明装置が人の視覚に入ってくることにより、不快感や目の障害を起こしやすくなるのに対し、千鳥状とすることにより、グレアが抑制され人間の目に対する不快感や目に及ぼす障害を低減することができる。さらに、隣り合う発光装置１間の距離が長くなることにより、隣接する発光装置１間の熱的な干渉が有効に抑制され、発光装置１が実装された発光装置駆動回路基板８内における熱のこもりが抑制され、発光装置１の外部に効率よく熱が放散される。その結果、人の目に対しても障害の小さい長期間にわたり光学特性の安定した長寿命の照明装置を作製することができる。
【００４９】
また、照明装置が、図６，図７に示す平面図，断面図のような発光装置駆動回路基板８上に複数の発光装置１から成る円状や多角形状の発光装置１群を、同心状に複数群形成した照明装置の場合、１つの円状や多角形状の発光装置１群における発光装置１の配置数を照明装置の中央側より外周側ほど多くすることが好ましい。これにより、発光装置１同士の間隔を適度に保ちながら発光装置１をより多く配置することができ、照明装置の照度をより向上させることができる。また、照明装置の中央部の発光装置１の密度を低くして発光装置駆動回路基板８の中央部における熱のこもりを抑制することができる。よって、発光装置駆動回路基板８内における温度分布が一様となり、照明装置を設置した外部電気回路基板やヒートシンクに効率よく熱が伝達され、発光装置１の温度上昇を抑制することができる。その結果、発光装置１は長期間にわたり安定して動作することができるとともに長寿命の照明装置を作製することができる。
【００５０】
このような照明装置としては、例えば、室内や室外で用いられる、一般照明用器具、シャンデリア用照明器具、住宅用照明器具、オフィス用照明器具、店装，展示用照明器具、街路用照明器具、誘導灯器具及び信号装置、舞台及びスタジオ用の照明器具、広告灯、照明用ポール、水中照明用ライト、ストロボ用ライト、スポットライト、電柱等に埋め込む防犯用照明、非常用照明器具、懐中電灯、電光掲示板等や、調光器、自動点滅器、ディスプレイ等のバックライト、動画装置、装飾品、照光式スイッチ、光センサ、医療用ライト、車載ライト等が挙げられる。
【００５１】
なお、本発明は上記の実施の形態に限定されるものではなく、本発明の要旨を逸脱しない範囲内で種々の変更を行うことは何等支障ない。例えば、本例では切り欠き部３ｂを長方形状の外形の反射部材の短辺側に形成したが、他の部位に形成されていてもよい。また、発光素子収納用容器１’の平面視形状は長方形状に限らず、多角形状や円形状、楕円形状であってもよい。
【図面の簡単な説明】
【００５２】
【図１】本発明の発光素子収納用パッケージの実施の形態の一例の斜視図である。
【図２】図１の発光装置のＡ−Ａ’線における断面図である。
【図３】図１の発光装置のＢ−Ｂ’における断面図である。
【図４】本発明の照明装置の実施の形態の一例を示す平面図である。
【図５】図３の照明装置の断面図である。
【図６】本発明の照明装置の実施の形態の他の例を示す平面図である。
【図７】図６の照明装置の断面図である
【図８】従来の発光装置を示す断面図である。
【図９】従来の発光装置を示す断面図である。
【符号の説明】
【００５３】
１：発光装置
１’：発光素子収納用容器
２：基体
２ａ：搭載部
３：反射部材
３ａ：貫通孔
３ｂ：切り欠き部
４：発光素子
５：透明部材
【図１】
2006210627.tif 000003
【図２】
2006210627.tif 000004
【図３】
2006210627.tif 000005
【図４】
2006210627.tif 000006
【図５】
2006210627.tif 000007
【図６】
2006210627.tif 000008
【図７】
2006210627.tif 000009
【図８】
2006210627.tif 000010
【図９】
2006210627.tif 000011